(57)【要約】【課題】従来の心線判別方法では、判別用光源として１５５０ｎｍの光源を使用していたが、使用中の回線の判別を行う際には、通信用の光との干渉が発生するため、使用できない場合があった。【解決手段】光多分岐通信システムに使用されている複数の光ファイバ心線から所望の光ファイバ心線を判別する光心線判別装置であって、前記所望の光ファイバ心線の加入者側端部から、１５５０ｎｍより長く、１６５０ｎｍより短い波長の判別光を入射する判別用光源と、光ファイバの分岐部と前記加入者側端部との間の判別部における、該判別光の漏洩を測定する判別機とからなることを特徴とする。【選択図】図１
2009265511.tif 000002
【特許請求の範囲】
【請求項１】
光分岐部に接続されている複数の分岐光ファイバ心線から選択された光ファイバ心線が、所望の分岐光ファイバ心線であるかどうかを判別する光心線判別装置であって、
前記所望の光ファイバ心線の端部から、１５５０ｎｍより長く、１６５０ｎｍより短い波長の判別光を入射する判別用光源と、
光ファイバの分岐部と前記端部との間の判別部における、該判別光の漏洩を測定する判別機と
からなることを特徴とする光心線判別装置。
【請求項２】
前記判別用光源は、１５５０ｎｍ以下の波長の光を遮断する光遮断手段を備えることを特徴とする請求項１に記載の光心線判別装置。
【請求項３】
前記判別機は、光ファイバ心線の前記判別部の所定範囲を略円弧形状に屈曲させて固定する屈曲固定部と、
前記屈曲固定部の近傍に配置された少なくとも１つの受光素子と
を備えることを特徴とする請求項１または請求項２のいずれかに記載の光心線判別装置。
【請求項４】
光多分岐通信システムに使用されている複数の光ファイバ心線から所望の光ファイバ心線を判別する光心線判別方法において、
前記所望の光ファイバ心線の加入者側端部から、１５５０ｎｍより長く、１６５０ｎｍより短い波長の判別光を入射し、
光ファイバの分岐部と前記加入者側端部との間の判別部における、該判別光の漏洩を判別機で測定することによって、前記複数の光ファイバ心線から所望の光ファイバ心線を判別することを特徴とする光心線判別方法。
【請求項５】
光ファイバ心線の所定範囲を略円弧形状に屈曲させて屈曲部を設け、該屈曲部における漏洩光を受光素子で測定することを特徴とする請求項４に記載の光心線判別方法。
【発明の詳細な説明】
【技術分野】
【０００１】
本発明は、光ファイバ等の光伝送線路の活線判定等を行うのに用いられる光心線判別装置、およびそれを用いた光心線判別方法に関する。
【背景技術】
【０００２】
光ファイバを用いた通信システムとして、図４に示すようなＰＯＮ（Ｐａｓｓｉｖｅ  Ｏｐｔｉｃａｌ  Ｎｅｔｗｏｒｋ）方式による通信が知られている。ＰＯＮ通信システム１では、通信業者局の伝送装置（ＯＬＴ：Ｏｐｔｉｃａｌ  Ｌｉｎｅ  Ｔｅｒｍｉｎａｌ）１０からの下りの通信光が光スプリッタ３で分岐され、複数の加入者側ＯＮＵ（Ｏｐｔｉｃａｌ  Ｎｅｔｗｏｒｋ  Ｕｎｉｔ）２０に送信される。
【０００３】
特許文献１には、光ＰＤＳ（Ｐａｓｓｉｖｅ  Ｄｏｕｂｌｅ  Ｓｔａｒ）通信システム１として、光線路媒体である光ファイバや光通信機器の異常等の監視を行うために、割り当てられた固有の監視波長（λｃ１〜λｃ８）の光を反射する反射フィルタ２０−１〜２０−８を備える各子局装置（ＯＮＵ）２０と、反射フィルタ２０−１〜２０−８の入力端における各監視波長光の強度が各ＯＮＵ２０の最小受信強度未満となるように各監視波長光を出射するＯＬＴ１０とを備えた出力制御手段が記載されている。
【０００４】
つまり、このシステムでは、ＯＬＴ１０側から各監視波長光が出射され、該監視波長光が光スプリッタ３で各子局装置固有に割り当てられた固有の監視波長（λｃ１〜λｃ８）の光に分岐される。そして、監視光は最小受信感度未満となるように設定されており、光受信部では受信されないため、通信に影響を及ぼすことがない。
【０００５】
ところで、上記構成のＰＤＳ通信システム１において、例えば１台のＯＮＵ２０（ＯＮＵ−１とする）の廃止申請があり、光スプリッタ３からＯＮＵ−１までの回線を撤去しようとする場合には、通常、光スプリッタ３の出口側の地点において、光スプリッタ３のどのポートにＯＮＵ−１がつながっているかの判別が行われる。
【０００６】
また、現在の工法では、必要になるまで光スプリッタ３には光ファイバ心線は接続せず、回線の開通時に子局装置側から順に光ファイバ心線を接続するため、回線の廃止時と同様に、どの光ファイバ心線を接続するかの判別が行われる。
【０００７】
光ファイバケーブル内に収納されている複数の心線から未使用のものを判別する方法として、通常、心線の親局から特別の光信号（例えば２７０Ｈｚの周波数に変調された光信号）を送出し、これを他方の端部側で受光素子を用いて受光検出したものを検出回路で判別するものが知られている。
【特許文献１】特開２００５−１９２１３８号公報
【発明の開示】
【発明が解決しようとする課題】
【０００８】
ＰＤＳ通信システム１において、未使用または使用が停止された光ファイバ心線を検出するために、従来の心線判別方法では、判別用光として波長が１５５０ｎｍの光をＯＬＴ１０側から入射し、その判別用光を受光素子によって検出していたが、通常、下り（ＯＬＴ１０側からＯＮＵ２０側への方向）の通信光は１５５０ｎｍ帯域の光であり、使用中の回線の判別を行う際には、通信用の光との干渉が発生するため、使用できない場合があった。
【０００９】
本発明はこれらの問題を解決するためになされたものであり、現用回線の通信光との干渉を生じることなく、所望の光心線を判別することのできる光心線判別方法を提供することを目的とする。
【課題を解決するための手段】
【００１０】
本発明における光心線判別装置の第１の態様は、光多分岐通信システムに使用されている複数の光ファイバ心線から所望の光ファイバ心線を判別する光心線判別装置であって、前記所望の光ファイバ心線の加入者側端部から、１５５０ｎｍより長く、１６５０ｎｍより短い波長の判別光を入射する判別用光源と、光ファイバの分岐部と前記加入者側端部との間の判別部における、該判別光の漏洩を測定する判別機とからなることを特徴とする。
【００１１】
この態様によれば、加入者側端部から、１５５０ｎｍより長く、１６５０ｎｍより短い波長の判別光を入射しているので、屋外のクロージャ等に収納されている複数の光ファイバ心線の中から、判別光と通信光が干渉することなく、所望の光ファイバ心線を判別することができる。
【００１２】
また、本発明における光心線判別装置の他の態様は、前記判別用光源が、１５５０ｎｍ以下の波長の光を遮断する光遮断手段を備えることを特徴とする。
【００１３】
この態様によれば、ＯＬＴ側から入射される通信光や監視光等の光が判別用光源に入射するのを防ぐことができ、判別用光源の出力が不安定になるのを防止することができる。
【発明の効果】
【００１４】
本発明によれば、現用回線の通信光との干渉を生じることなく、複数の光ファイバ心線から所望の光ファイバ心線を高精度で簡易に判別することのできる光心線判別装置およびそれを用いた光心線判別方法を提供することが可能となる。
【発明を実施するための最良の形態】
【００１５】
本発明の好ましい実施の形態における光心線判別方法について、図面を参照して詳細に説明する。なお、同一機能を有する各構成部については、図示及び説明簡略化のため、同一符号を付して示す。  
【００１６】
本発明の第１の実施の形態に係る光心線判別装置を、図１を用いて詳細に説明する。図１は、ＰＯＮ通信システム全体と、本発明の第１の実施の形態に係る光心線判別装置を示す模式図である。
【００１７】
図1に示すように、ＰＤＳ通信システム１は、ＯＬＴから下り信号光４０が入射され、光スプリッタ３０で分岐される。分岐された下り信号光４０は、それぞれのＯＮＵに到達する。さらに各ＯＮＵからの上り信号光４２は、光スプリッタ３０によって合波され、ＯＬＴ１０に入力される。ここで、一般に、下り信号４０には、波長１５５０ｎｍ帯域の信号光が用いられ、上り信号４２には、波長１３００ｎｍ帯域の信号光が用いられる。
また、ＯＮＵ２０の前にはＯＬＴ１０から入射される監視光を反射するフィルタ１０３が、コネクタの内部などに挿入されており、このフィルタは通常は取り外すことはできない。
【００１８】
光心線判別装置１００は、使用されなくなった光ファイバ心線１２０のＯＮＵ側端部１３０から、１５５０ｎｍより長く、１６５０ｎｍより短く、かつ監視光反射フィルタ１０３の反射する波長以外の波長、特により短い波長の判別光４４を入射する判別用光源１０２と、光ファイバ心線１２０の判別部における判別光の漏洩を測定する判別機１０４を備えている。
【００１９】
判別光源１０２で発生した判別光４４は、未使用となった回線のＯＮＵ側端部１３０から上り（ＯＮＵ側からＯＬＴ側へ向かう）方向に入射される。本実施の形態における光心線判別装置では、光ファイバ心線１２０を通って判別部を通過する際に、該判別部で漏洩する判別光４４を判別機１０４で測定して複数の光ファイバ心線の中から使用されなくなった光ファイバ心線１２０を判別する。不使用回線の判別は、例えば、複数の光ファイバ心線が収納され、屋外（電柱の上等）に設置されたクロージャトレイで行われる。
【００２０】
ここで、判別用光源１０２は、（図示しない）下り通信光を遮断するための通信光遮断手段を備えており、判別用光源１０２に通信光が入射して、判別用光源の出力が不安定になるのを防止している。通信光遮断手段としては、特に限定はなく、汎用の光フィルタやＦＢＧ（Ｆｉｂｅｒ  Ｂｒａｇｇ  Ｇｒａｔｉｎｇ）等の方法を利用することができる。
【００２１】
判別光としては、通信光との干渉を抑制し、判別部での判別光の漏れ量を大きくするために１５５０ｎｍより長い波長が好ましく、判別機１０４の受光素子の感度が悪くなり始める１６５０ｎｍより短い波長が好ましい。よって、判別光の波長は１５５０ｎｍ以上１６５０ｎｍ以下で、かつ監視光反射フィルタ１０３の反射する波長帯以外、特により短い波長とすることが必要である。
【００２２】
また、判別光の波長は、ＯＬＴ側から入射される監視光を反射するフィルタが使用されている場合、監視光反射フィルタの反射する波長帯とは異なる波長とすることが必要である。
【００２３】
図２は、本発明の光心線判別装置における判別機の一の態様を示す模式図である。図２に示すように、本発明の光心線判別装置における判別機１０４は、光ファイバ心線１２０の所定範囲を略円弧形状に屈曲させて固定する屈曲固定部１４０と、この屈曲固定部１４０の近傍に配置された受光素子１４２とを備えている。
【００２４】
受光素子１４２は、１つであってもよく、判別光４４の強度や、下り通信光４０の強度に応じて２つ以上配置してもよい。
【００２５】
図３は、本発明の光心線判別装置における判別機の他の態様を示す模式図である。図３に示すように、屈曲固定部１４０は、上記略円弧形状が一定の曲率を有し、２つ以上の受光素子１４２が、屈曲固定部の中心線１５０に関して対象に配置されていることが好ましい。
【図面の簡単な説明】
【００２６】
【図１】図１は、ＰＤＳ通信システム全体と、本発明の第１の実施の形態に係る光心線判別装置を示す模式図である。
【図２】図２は、本発明の光心線判別装置における判別機の一の態様を示す模式図である。
【図３】図３は、本発明の光心線判別装置における判別機の他の態様を示す模式図である。
【図４】図４は、光ファイバ心線を監視する従来の通信システムの模式図である。
【符号の説明】
【００２７】
１                  光ＰＤＳ通信システム
３、３０            光スプリッタ
１０                伝送装置（ＯＬＴ）
２０                子局装置（ＯＮＵ）
２０−１〜２０−８  反射フィルタ
４０                下り信号光
４２                上り信号光
４４                判別光
１００              光心線判別装置
１０２              判別用光源
１０３              フィルタ
１０４              判別機
１２０              光ファイバ心線
１３０              ＯＮＵ側端部
１４０              屈曲固定部
１４２              受光素子
１５０              屈曲固定部の中心線
【図１】
2009265511.tif 000003
【図２】
2009265511.tif 000004
【図３】
2009265511.tif 000005
【図４】
2009265511.tif 000006